(57)【要約】      （修正有）【課題】長時間の駆動による特定色の表示画素の劣化に伴うホワイトバランスの崩れを回路上の動作制御で改善し、経済的に有利な構成で、長期に亘り安定した表示特性を維持することのできる表示装置の駆動制御方法および平面表示装置を提供する。【解決手段】電源制御部６は、表示パネル１の表示動作が終了する都度、ホワイトバランス調整用の駆動信号（ＣＣ）を生成し出力して、輝度劣化の度合いが低い特定色の表示画素に対してのみ、電子放出動作を実行させ、ＲＧＢ各色の表示画素ＰＸの表示輝度特性が一様化されるように素子駆動制御を行って表示パネル１のホワイトバランスを調整する。【選択図】図１
2006091786.tif 000002
【特許請求の範囲】
【請求項１】
複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動部とを具備する表示装置の駆動制御方法であって、
前記表示パネルが表示動作を終了した際に前記表示パネルに設けられた複数の表示画素のうち特定色の表示画素を前記駆動部により所定時間駆動させて前記表示パネルのホワイトバランスを調整することを特徴とする表示装置の駆動制御方法。
【請求項２】
前記表示パネルが前記表示動作を終了するまでの表示動作状態にあった表示駆動時間に応じた所要時間に亘り前記特定色の表示画素を前記駆動部により駆動させて前記表示パネルのホワイトバランスを調整する請求項１記載の表示装置の駆動制御方法。
【請求項３】
前記表示パネルに画像を表示する装置の電源オン／オフ状態を認識し、
前記装置が電源オン状態にあるとき前記表示パネルの表示駆動時間を計時し保持して、
前記装置が電源オフ状態になったとき、前記保持した時間をもとに前記調整に必要な所要時間を決定し、当該所要時間に亘って前記特定色の表示画素を駆動させる請求項２記載の表示装置の駆動制御方法。
【請求項４】
前記表示パネルに画像を表示する装置の電源のオン／オフ状態を認識し、
前記装置が電源オフ状態になったとき、前記装置から当該装置の動作時間情報を取得して、当該時間情報をもとに前記調整に必要な所要時間を決定し、当該所要時間に亘り前記特定色の表示画素を駆動させる請求項２記載の表示装置の駆動制御方法。
【請求項５】
前記所要時間に亘り、前記特定色の表示画素の前記電子放出素子から電子の放出動作のみを実行させる２乃至４のいずれか１項に記載の表示装置の駆動制御方法。
【請求項６】
前記調整に必要な前記所要時間を演算処理により算出し決定する請求項２乃至５のいずれか１項に記載の表示装置の駆動制御方法。
【請求項７】
前記調整に必要な前記所要時間を予め用意された設定情報に従い決定する請求項２乃至５のいずれか１項に記載の表示装置の駆動制御方法。
【請求項８】
前記表示パネルの表示駆動時間を前記調整に必要な前記所要時間とする請求項２乃至５のいずれか１項に記載の表示装置の駆動制御方法。
【請求項９】
複数の蛍光体層と前記複数の蛍光体層に対応した複数の電子放出素子とにより形成される複数の表示画素をマトリクス状に配置した表示パネルと、
前記表示パネルに配置された複数の表示画素を走査線と信号線の駆動電圧により駆動する駆動部と、
前記表示パネルの非表示状態に於いて前記表示パネルに設けられた複数の表示画素のうち特定色の表示画素を前記駆動部により所定時間駆動させて前記表示パネルのホワイトバランスを調整する制御手段と
を具備したことを特徴とする平面表示装置。
【請求項１０】
前記制御手段は、前記表示パネルが表示状態にある表示駆動時間に応じた所要時間に亘り前記特定色の表示画素を前記駆動部により駆動させて前記表示パネルのホワイトバランスを調整する請求項９記載の平面表示装置。
【請求項１１】
前記制御手段は、
前記表示パネルに画像を表示する装置の電源オン／オフ状態を認識する処理手段と、
前記装置が電源オン状態にあるとき前記表示パネルの表示駆動時間を計時し保持する処理手段と、
前記装置が電源オフ状態になったとき、前記保持した時間をもとに前記調整に必要な所要時間を決定し、当該所要時間に亘って前記特定色の表示画素を駆動させる処理手段と
を具備する請求項１０記載の平面表示装置。
【請求項１２】
前記制御手段は、
前記表示パネルに画像を表示する装置の電源オン／オフ状態を認識する処理手段と、
前記装置が電源オフ状態になったとき、前記装置から当該装置の動作時間情報を取得して、当該時間情報をもとに前記調整に必要な所要時間を決定し、当該所要時間に亘り前記特定色の表示画素を駆動させる処理手段と
を具備する請求項１０記載の平面表示装置。
【請求項１３】
前記制御手段は、前記駆動部により前記特定色の表示画素の電子放出素子を駆動させて当該電子放出素子からの電子の放出動作のみを実行させる９乃至１２のいずれか１項に記載の平面表示装置。
【請求項１４】
前記制御手段は、前記調整に必要な前記所要時間を演算処理により算出し決定する請求項９乃至１２のいずれか１項に記載の平面表示装置。
【請求項１５】
前記制御手段は、前記調整に必要な前記所要時間を予め用意された設定情報に従い決定する請求項９乃至１２のいずれか１項に記載の平面表示装置。
【請求項１６】
前記制御手段は、前記表示パネルの表示駆動時間に相当する時間を前記調整に必要な前記所要時間とする請求項９乃至１２のいずれか１項に記載の平面表示装置。
【発明の詳細な説明】
【技術分野】
【０００１】
本発明は、複数の蛍光体層と前記複数の蛍光体層に対応した複数の電子放出素子とにより形成される複数の表示画素をマトリクス状に配置した表示パネルを備えた表示装置の駆動制御方法および平面表示装置に関する。
【背景技術】
【０００２】
近年、偏平な平面パネル構造の画像表示装置として、液晶ディスプレイ（ＬＣＤ）、プラズマディスプレイ（ＰＤＰ）、フィールドエミッションディスプレイ（ＦＥＤ）等が知られている。また、ＦＥＤの一種として、表面伝導型の電子放出素子を備えたＳＥＤ（Surface-conduction Electron-emitter Display）の開発が進められている。
【０００３】
ＳＥＤは、所定の隙間を置いて対向配置された前面基板および背面基板を有する。これらの基板は、矩形枠状の側壁を介して周縁部を互いに接合され、内部を真空にされて偏平な平面パネル構造の真空外囲器を構成している。前面基板の内面には３色（Ｒ，Ｇ，Ｂ）の蛍光体層を有する蛍光体スクリーンが設けられ、背面基板の内面には、蛍光体層を励起発光させる電子の放出源として、画素毎に対応する多数の電子放出素子が整列配置されている。また、背面基板の内面上には、電子放出素子を駆動するための多数本の配線がマトリックス状に設けられ、その端部は真空外囲器の外部に引き出されている。
【０００４】
このＳＥＤを動作させる場合は、基板間に１０［ｋＶ］程度の高電圧（アノード電圧）を与え、配線に接続した駆動回路を介して各電子放出素子に選択的に駆動電圧を印加することにより、各電子放出素子から選択的に電子ビームが放出され、これら電子ビームが所定の軌道を描いて対応する蛍光体層に照射され、蛍光体層が励起発光されてカラー画像が表示されるようになっている。上記ＳＥＤの表示パネルにマトリクス状に配列された各電子放出素子は駆動回路により表示駆動される。この駆動回路は、複数の走査線の一端に接続される走査線ドライバ（Ｙドライバ）と、複数の信号線の一端に接続される信号線ドライバ（Ｘドライバ）を含む。Ｙドライバは走査信号を用いて複数の走査線を順次駆動し、Ｘドライバは各走査線が駆動される間に映像信号に応じてパルス変調された駆動信号若しくは映像信号に応じて電位が変化する駆動信号を用いて複数の信号線を駆動する。各表示画素は対応信号線および対応走査線間の画素電圧、若しくは映像信号の階調に応じてパルス幅が変化する上記信号線上の電圧と上記走査線上の走査電圧に対応した輝度で発光する。
【特許文献１】特開２００２−２２１９３３号公報
【発明の開示】
【発明が解決しようとする課題】
【０００５】
ところで、上述のようなＳＥＤに於いては、長時間の駆動により表示輝度が劣化する。この表示輝度の劣化要因は、蛍光体（蛍光体スクリーン）の劣化および電子放出素子に於ける電子放出特性の劣化に因るところが大きい。この際、Ｒ，Ｇ，Ｂ３色の蛍光体層がともに同様の経年変化による特性で劣化した場合は当初設定したホワイトバランスがそのまま維持されるが、実際はＲ，Ｇ，Ｂそれぞれの蛍光体層に於いて経年変化による劣化の特性を異にする。現状では特にＲの蛍光体層に対して、Ｇ，Ｂの蛍光体層の劣化が著しい。従って当初設定したホワイトバランスが長期間の駆動により崩れるという問題があった。
【０００６】
本発明の目的は、長時間の駆動による特定色の表示画素の劣化に伴うホワイトバランスの崩れを回路上の動作制御で改善し、経済的に有利な構成で、長期に亘り安定した表示特性を維持することのできる表示装置の駆動制御方法および平面表示装置を提供することにある。
【課題を解決するための手段】
【０００７】
本発明によれば、複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧および加速電圧により駆動する駆動部とを具備する表示装置の駆動制御方法に於いて、前記表示パネルが表示動作を終了した際に前記表示パネルに設けられた複数の表示画素のうち特定色の表示画素を前記駆動部により所定時間駆動させて前記表示パネルのホワイトバランスを調整する表示装置の駆動制御方法が提供される。
【０００８】
また前記表示装置の駆動制御方法に於いて、前記表示パネルが前記表示動作を終了するまでの表示動作状態にあった表示駆動時間に応じた所要時間に亘り前記特定色の表示画素を前記駆動部により駆動させて前記表示パネルのホワイトバランスを調整する表示装置の駆動制御方法が提供される。
【０００９】
また前記表示装置の駆動制御方法に於いて、前記表示パネルに画像を表示する装置の電源のオン／オフ状態を認識し、前記装置が電源オン状態にあるとき前記表示パネルの表示駆動時間を計時し保持して、前記装置が電源オフ状態になったとき、前記保持した時間をもとに前記調整に必要な所要時間を決定し、当該所要時間に亘って前記特定色の表示画素を駆動させる表示装置の駆動制御方法が提供される。
【００１０】
また前記表示装置の駆動制御方法に於いて、前記表示パネルに画像を表示する装置の電源のオン／オフ状態を認識し、前記装置が電源オフ状態になったとき、前記装置から当該装置の動作時間情報を取得して、当該時間情報をもとに前記調整に必要な所要時間を決定し、当該所要時間に亘り前記特定色の表示画素を駆動させる表示装置の駆動制御方法が提供される。
【００１１】
また本発明によれば、複数の蛍光体層と前記複数の蛍光体層に対応した複数の電子放出素子とにより形成される複数の表示画素をマトリクス状に配置した表示パネルと、前記表示パネルに配置された複数の表示画素を走査線と信号線の駆動電圧により駆動する駆動部と、前記表示パネルの非表示状態に於いて前記表示パネルに設けられた複数の表示画素のうち特定色の表示画素を前記駆動部により所定時間駆動させて前記表示パネルのホワイトバランスを調整する制御手段とを具備した平面表示装置が提供される。
【００１２】
また前記平面表示装置に於いて、前記制御手段は、前記表示パネルが表示状態にある表示駆動時間に応じた所要時間に亘り前記特定色の表示画素を前記駆動部により駆動させて前記表示パネルのホワイトバランスを調整する平面表示装置が提供される。
【００１３】
また前記平面表示装置に於いて、前記制御手段は、前記表示パネルに画像を表示する装置の電源オン／オフ状態を認識する処理手段と、前記装置が電源オン状態にあるとき前記表示パネルの表示駆動時間を計時し保持する処理手段と、前記装置が電源オフ状態になったとき、前記保持した時間をもとに前記調整に必要な所要時間を決定し、当該所要時間に亘って前記特定色の表示画素を駆動させる処理手段とを具備する平面表示装置が提供される。
【００１４】
また前記平面表示装置に於いて、前記制御手段は、前記装置が電源オフ状態になったとき、前記装置から当該装置の動作時間情報を取得して、当該時間情報をもとに前記調整に必要な所要時間を決定し、当該所要時間に亘り前記特定色の表示画素を駆動させる処理手段とを具備する平面表示装置が提供される。
【発明の効果】
【００１５】
長時間の駆動による特定色の表示画素の劣化に伴うホワイトバランスの崩れを回路上の動作制御で改善したことにより、経済的に有利な構成で長期に亘り安定した表示特性を維持することができる。
【発明を実施するための最良の形態】
【００１６】
以下、本発明の一実施形態に係る平面表示装置について添付図面を参照して説明する。ここではカラー表示画素数が横：縦＝１２８０：７２０というＸＧＡ解像度の電子放出素子を備えたＳＥＤを例に採る。
【００１７】
図１はこの平面表示装置の回路構成を概略的に示す。平面表示装置は、表示パネル１、画像電圧ドライバ（Ｘドライバ）２、走査電圧ドライバ（Ｙドライバ）３、入力信号処理回路５、電源制御部６等を備える。
【００１８】
表示パネル１は、横（水平）方向に配されたｍ（＝７２０）本の走査線Ｙ（Ｙ１〜Ｙｍ）と、これら走査線Ｙ１〜Ｙｍに交差して縦（垂直）方向に配されたｎ（＝１２８０×３）本の信号線Ｘ（Ｘ１〜Ｘｎ）と、これら走査線Ｙ１〜Ｙｍおよび信号線Ｘ１〜Ｘｎの交差位置近傍に配置されて表示画面を構成するｍ×ｎ（＝約２７６万）個の表示画素ＰＸとを支持基板上に有する。
【００１９】
各カラー表示画素は水平方向において隣接する３個の表示画素ＰＸにより構成される。このカラー表示画素では、３個の表示画素ＰＸがそれぞれ電子放出源となる電子放出素子１１およびこれら電子放出素子１１から放出される電子ビームにより発光する赤（Ｒ）、緑（Ｇ）、および青（Ｂ）の蛍光体１２により構成される。すなわち蛍光体スクリーンの各表示画素と電子放出源とは一対一に対応している。各走査線Ｙは対応行の表示画素ＰＸの電子放出素子１１に接続される走査電極として用いられ、各信号線Ｘは対応列の表示画素ＰＸの電子放出素子１１に接続される信号電極として用いられる。
【００２０】
Ｘドライバ２、Ｙドライバ３、入力信号処理回路５、および電源制御部６はそれぞれ表示パネル１に対する表示用駆動回路として用いられ、表示パネル１の周囲に配置される。Ｘドライバ２は信号線Ｘ１〜Ｘｎに接続され、Ｙドライバ３は走査線Ｙ１〜Ｙｍに接続される。
【００２１】
入力信号処理回路５は１水平ライン分の映像信号を一時記憶するラインメモリを有して外部の信号源から供給されるＲＧＢ映像信号および同期信号の入力処理を行う。入力信号処理回路５は上記ラインメモリに一時記憶した映像信号をＸドライバ２に供給し、同期信号（垂直同期信号および水平同期信号）に従う動作タイミング信号をＸドライバ２とＹドライバ３に供給する。
【００２２】
電源制御部６はマイクロプロセッサによるプログラム制御機能を有し、表示パネル１を含む表示装置全体の制御を司るもので、外部電源をもとに表示パネル１を含む表示装置全体の動作用電源を生成し供給制御する。この実施形態に於いては上記マイクロプロセッサのプログラム制御機能により図２に示すホワイトバランスの調整処理機能を実現している。このホワイトバランスの調整処理機能については後述する。
【００２３】
電源制御部６は表示パネル１の駆動用電源として、表示パネル１に、上述したアノード電圧に加え、Ｘドライバ２およびＹドライバ３に駆動電圧（ＶＤｘ，ＶＤｙ）を供給する。Ｘドライバ２には信号線Ｘ（Ｘ１〜Ｘｎ）を駆動するための信号用の駆動電圧（ＶＤｘ）を供給し、Ｙドライバ３には走査線Ｙ（Ｙ１〜Ｙｍ）を駆動するための走査用の駆動電圧（ＶＤｙ）を供給する。
【００２４】
Ｙドライバ３は上記電源制御部６から供給された走査用の駆動電圧（ＶＤｙ）と上記入力信号処理回路５から入力した動作タイミング信号とをもとに生成した走査線駆動電圧により走査線Ｙ１〜Ｙｍを順次駆動し、Ｘドライバ２は上記電源制御部６から供給された信号用の駆動電圧（ＶＤｘ）と上記入力信号処理回路５から入力した１水平ライン分の映像信号および動作タイミング信号とをもとに生成した信号線駆動電圧により、走査線Ｙ１〜Ｙｍの各々がＹドライバ３によって駆動される間に入力信号処理回路５から出力される１水平ライン分の映像信号に対応して信号線Ｘ１〜Ｘｎを駆動する。尚、上記Ｘドライバ２は、信号用の駆動電圧（ＶＤｘ）をもとに映像信号に従い電位が変化する信号を信号線駆動電圧として出力する構成と、映像信号の階調に従うパルス幅の駆動電圧（ＶＤｘ）を信号線駆動電圧として出力する構成とがあり、本発明はそのいずれの構成に於いても適用可能であるが、この実施形態では、映像信号の階調に従うパルス幅の駆動電圧（ＶＤｘ）を信号線駆動電圧として出力する構成を例に採る。
【００２５】
また電源制御部６は、表示パネル１の長期間に亘る駆動に対して生起する、表示画素の色別輝度劣化のばらつきに伴うホワイトバランスの崩れを補償するために、表示パネル１が表示動作を終了した際に、特定表示色の表示画素の電子放出素子１１に対し電子放出動作を実行させるためのホワイトバランス調整用の駆動信号（ＣＣ）を生成して、この駆動信号（ＷＢ調整用駆動信号）をＸドライバ２に供給し、走査用の駆動電圧（ＶＤｙ）をＹドライバ３に供給して、上記特定表示色の表示画素の電子放出素子１１に対してのみ電子放出動作を実行させる。この実施形態ではＲＧＢの各蛍光体１２のうち、輝度劣化の度合いが最も低いＲ（赤）の蛍光体１２をもつ表示画素ＰＸについて、その表示輝度特性がＧ（緑）およびＢ（青）の表示輝度特性とほぼ一様になるように、Ｒ（赤）の蛍光体１２に対応する電子放出素子１１に対してのみ電子放出動作を実行させ、その電子放出特性を劣化させる素子駆動制御を行う。この回路上の動作制御により、表示パネル１が表示動作を終了する都度、ＲＧＢ各色の表示画素ＰＸの表示輝度特性が一様化され、表示パネル１のホワイトバランスが調整される。
【００２６】
上記電源制御部６は上述したように、表示パネル１の表示動作が終了する都度、ホワイトバランス調整用の駆動信号（ＣＣ）を生成し出力して、輝度劣化の度合いが低い特定色の表示画素（この実施形態ではＲの表示画素）に対してのみ、電子放出動作を実行させ、ＲＧＢ各色の表示画素ＰＸの表示輝度特性が一様化されるように素子駆動制御を行って表示パネル１のホワイトバランスを調整している。
【００２７】
この際の電源制御部６に於けるホワイトバランスの調整処理手順を図２に示している。この実施形態に於いては、表示パネル１に画像を表示する装置（例えばテレビジョン受像装置）の電源投入（パワーオン）に伴って表示パネル１が表示動作を開始し、上記装置の電源遮断（パワーオフ）に伴って表示パネル１が表示動作を終了するものとする。またこの実施形態に於いては、表示パネル１が表示動作状態にある表示駆動時間を電源制御部６が計時し保持するものとするが、表示パネル１を動作制御する上記テレビジョン受像装置に、動作時間を計時し管理する機能をもつ場合は、電源制御部６が上記テレビジョン受像装置から上記表示パネル１の表示駆動時間を取得して保持する構成であってもよい。この際、電源制御部６は、上記テレビジョン受像装置から一定のタイミングで（例えば１０分毎に）上記表示駆動時間を取得する通信手段、若しくは上記テレビジョン受像装置がパワーオフ状態（但し時計モジュールおよび外部通信インタフェースは動作を維持している状態）になった際に、上記テレビジョン受像装置から上記表示駆動時間を取得する通信手段のいずれであってもよい。
【００２８】
また上記図２に示すホワイトバランスの調整処理に於ける特定色の表示画素（この例ではＲ）に対しての電子放出動作タイミングを図３に示している。図２に於いて、Ｔａはテレビジョン受像装置の電源投入（パワーオン）タイミング、すなわち表示パネル１の表示動作開始タイミング、Ｔｂはテレビジョン受像装置の電源遮断（パワーオフ）タイミング、すなわち表示パネル１の表示動作終了タイミング、「ＷＢ調整終了」はホワイトバランス調整終了タイミングをそれぞれ示している。また、ｔｄはテレビジョン受像装置の電源投入（パワーオン）状態にある動作時間、すなわち表示パネル１が表示動作状態にある表示パネル１の表示駆動時間、ｔｓは特定色の表示画素に対しての電子放出動作時間、すなわちホワイトバランス調整時間である。ここでは上記ホワイトバランス調整時間（ｔｓ）に於ける特定色の表示画素（この例ではＲ）に対する電子放出動作の状態を破線で示している。
【００２９】
上記実施形態に於いてホワイトバランスを調整する様子を図４に色座標で示している。この実施形態では、表示パネル１の長時間駆動によるＲＧＢ各色の輝度劣化に於いて、Ｇ（緑）およびＢ（青）の各表示画素ＰＸを構成するＧおよびＢの蛍光体１２に対してＲ（赤）の表示画素ＰＸを構成するＲの蛍光体１２の輝度劣化が少ないことから（図５および図６参照）、Ｒの表示画素ＰＸを構成する蛍光体１２に対応する電子放出素子１１に対してのみ、上記図３に示すホワイトバランス調整時間（ｔｓ）に亘って電子放出動作を実行させ、当該素子の電子放出特性を劣化させることで、Ｒの蛍光体１２の表示輝度特性をＧおよびＢの各表示画素ＰＸの表示輝度特性に近付けて、ＲＧＢ各色の表示画素ＰＸの表示輝度特性を一様化させ表示パネル１のホワイトバランスを調整している。
【００３０】
上記表示パネル１に於けるＲＧＢ各色の表示画素ＰＸを構成するＲＧＢそれぞれの蛍光体１２の駆動時間に対する発光効率の変化および電子放出素子１１の駆動時間に対する劣化特性を図５に示している。ここではＲＧＢ各色の特性が理解し易いように、Ｒ（赤）の蛍光体１２の駆動時間に対する効率の変化（蛍光体劣化特性）を［Ｒ］、Ｇ（緑）の同蛍光体劣化特性を［Ｇ］、Ｂ（青）の同蛍光体劣化特性を［Ｂ］で示している。また同図に於いて［Ｃ］は電子放出素子１１の駆動時間に対する劣化特性である。この実施形態では、Ｒの蛍光体１２に対応して設けられる電子放出素子１１のみ、素子劣化（電子放出特性の劣化）を先行させることで、Ｒの表示画素ＰＸの表示輝度特性をＧおよびＢの各表示画素ＰＸの表示輝度特性に近付け、これによってホワイトバランスを調整（補償）している。
【００３１】
また上記ＲＧＢ各色の表示画素ＰＸの駆動時間に対する輝度保持率と上記ホワイトバランスの調整を行った場合の特定表示色（この例ではＲ）の表示画素ＰＸの駆動時間に対する輝度保持率とを図６に示している。ここではＲＧＢ各色の特性が理解し易いように、Ｒ（赤）の蛍光体１２の輝度保持率を［Ｒ］、Ｇ（緑）の同保持率を［Ｇ］、Ｂ（青）の同保持率を［Ｂ］で示している。また同図に於いて「ＲＣ」は上記したＲの蛍光体１２に対応して設けられる電子放出素子１１の素子劣化により輝度低減調整されたＲの蛍光体１２の輝度保持率を示している。
【００３２】
ここで、上記各図を参照して本発明の実施形態に於けるホワイトバランスの調整処理動作を説明する。  
電源制御部６はマイクロプロセッサによるプログラム制御により図２に示す処理手順に従い本発明の実施形態に係るホワイトバランスの調整処理動作を実行する。
【００３３】
この処理では、テレビジョン受像装置の電源が投入（パワーオン）され、表示パネル１の表示動作が開始されると（図３に示すＴａ参照）、当該テレビジョン受像装置の電源投入（パワーオン）状態にある動作時間、すなわち表示パネル１が表示動作状態にある時間に亘って表示パネル１の表示駆動時間（図３に示すｔｄ参照）を計測（計時）し保持する（図２ステップＳ１１，Ｓ１２，Ｓ１３  Ｎｏ，〜Ｓ１１，…）。
【００３４】
その後、テレビジョン受像装置の電源が遮断（パワーオフ）され、表示パネル１の表示動作が終了すると（図３に示すＴｂ参照）、その動作終了に伴って（図２ステップＳ１３  Ｙｅｓ）、上記保持した動作時間をもとにホワイトバランス（ＨＢ）の調整時間を取得し保持する（図２ステップＳ２１，Ｓ２２）。ここでは、予め組まれた演算処理ルーチンにより上記保持した動作時間からホワイトバランス調整時間を算出する場合を例に採るが、例えば上記動作時間とホワイトバランス調整時間とを対応付けたテーブルを参照して上記保持した動作時間からホワイトバランス調整時間を算出する処理手段、若しくは特定色の蛍光体（または電子放出素子）の劣化特性によっては上記動作時間をホワイトバランス調整時間とする処理手段であってもよい。
【００３５】
そして上記保持したホワイトバランス調整時間に従い、ホワイトバランスの調整に必要とされる所要時間に亘り、特定表示色の表示画素の電子放出素子１１に対し電子放出動作を実行させるためのホワイトバランス調整用の駆動信号（ＣＣ）を生成する。さらにこのホワイトバランス調整用駆動信号（ＣＣ）をその調整に必要な所要時間に亘り、Ｘドライバ２に供給するとともに、走査用の駆動電圧（ＶＤｙ）をＹドライバ３に供給して、上記特定表示色の表示画素の電子放出素子１１に対してのみ電子放出動作を実行させ、ホワイトバランスの調整処理を実行する（図２ステップＳ２３〜Ｓ２６）。なお、この際、表示パネル１には上記表示動作の終了に伴い既に上記した高圧のアノード電圧は印加されておらず、従って上記特定表示色の表示画素の電子放出素子１１のみが電子放出動作を実行する。
【００３６】
この実施形態ではＲＧＢの各蛍光体１２のうち、輝度劣化の度合いが最も低いＲ（赤）の蛍光体１２をもつ表示画素ＰＸについて、その表示輝度特性がＧ（緑）およびＢ（青）の表示輝度特性とほぼ一様になるように、Ｒ（赤）の蛍光体１２に対応する電子放出素子１１に対してのみ電子放出動作を実行させ、その電子放出特性を劣化させる素子駆動制御を行う。
【００３７】
この回路上の動作制御により、表示パネル１が表示動作を終了する都度、ＲＧＢ各色の表示画素ＰＸの表示輝度特性が一様化され、表示パネル１のホワイトバランスが調整される。この際のホワイトバランスを調整する様子を図４に色座標で示し、上記ＲＧＢ各色の表示画素ＰＸの駆動時間に対する輝度保持率と上記ホワイトバランスの調整を行った場合の特定表示色（Ｒ）の表示画素ＰＸの駆動時間に対する輝度保持率とを図６に示している。
【００３８】
このように、表示パネル１の表示動作終了後、その動作時間によって決まるホワイトバランス調整のための所要時間に亘って、ＲＧＢの各蛍光体１２のうち、輝度劣化の度合いが最も低いＲ（赤）の蛍光体１２をもつ表示画素ＰＸについて、その表示輝度特性がＧ（緑）およびＢ（青）の表示輝度特性とほぼ一様になるように、Ｒ（赤）の蛍光体１２に対応する電子放出素子１１に対してのみ電子放出動作を実行させることにより、表示パネル１のホワイトバランスを常に安定に保つことが可能となる。
【００３９】
上記した実施形態は、表示パネル１の表示動作終了の都度、ＲＧＢのうちの輝度劣化の度合いが最も低い表示色の表示画素ＰＸについて、その電子放出素子１１に対してのみ電子放出動作を実行させることによりホワイトバランスを調整していたが、例えばＲＧＢのうちの輝度劣化の度合いが最も高い表示色の表示画素ＰＸに輝度劣化の特性を合わせるように、２色の表示画素ＰＸについて、それぞれ個別に所要時間を決めて電子放出動作を実行させる構成としてもよい。また、この際、電子放出動作を表示パネル１の表示動作終了の都度行わせる必要もなく、例えば表示パネル１の表示動作時間を累積し、その累積時間が予め設定された時間になる都度、予め設定した時間帯（所要時間）に亘って上記したホワイトバランス調整を行う構成であってもよい。また、上記した実施形態では、Ｒ（赤）の蛍光体１２を輝度劣化の度合いが最も低い蛍光体として、ホワイトバランス調整を行ったが、蛍光体の材料、製造条件等により種々の蛍光体寿命が考えられ、その蛍光体寿命を考慮してＲＧＢの各表示画素ＰＸの中から上記したホワイトバランス調整のための電子放出動作を行わせる表示画素ＰＸを選定すればよい。さらに、電源制御部６が実行するホワイトバランス調整の処理動作についても、上記した実施形態に限るものではなく、要は本発明の要旨を逸脱しない範囲で種々の変形ならびに応用が可能である。
【図面の簡単な説明】
【００４０】
【図１】本発明の実施形態に係る平面表示装置の構成を示すブロック図。
【図２】上記実施形態に於けるホワイトバランスの調整処理手順を示すフローチャート。
【図３】上記実施形態に於けるホワイトバランス調整処理の動作タイミングを示す図。
【図４】上記実施形態に於けるホワイトバランス調整の様子を色座標で示す図。
【図５】上記実施形態に於ける表示パネル１の蛍光体および電子放出素子の特性を示す図。
【図６】上記実施形態に於ける表示画素の駆動時間に対する輝度保持率とホワイトバランスの調整を行った場合の特定表示色の表示画素の駆動時間に対する輝度保持率とを示す図。
【符号の説明】
【００４１】
１…表示パネル、２…Ｘドライバ、３…Ｙドライバ、５…入力信号処理回路、６…電源制御部、１１…表面伝導型電子放出素子、１２…蛍光体、ＣＣ…ホワイトバランス調整用の駆動信号、Ｘ…信号線、Ｙ…走査線、ＰＸ…表示画素。
【図１】
2006091786.tif 000003
【図２】
2006091786.tif 000004
【図３】
2006091786.tif 000005
【図４】
2006091786.tif 000006
【図５】
2006091786.tif 000007
【図６】
2006091786.tif 000008